(57)【特許請求の範囲】
【請求項１】
生体情報を測定する生体測定部と、
情報通信端末と通信を行い、前記情報通信端末から前記生体測定部が過去に測定した測定履歴データを取得する通信部と、
前記通信部が取得した前記測定履歴データと、前記生体測定部が今回測定した測定データとを取得し、前記今回測定した測定データを前記測定履歴データに基づいて評価した結果である評価結果を取得する処理部と、を備え、
前記処理部は、前記測定履歴データと前記今回測定した測定データとに基づき、個人認証を行うことを特徴とする生体測定装置。
【請求項２】
請求項１に記載の生体測定装置において、
前記今回測定した測定データと前記測定履歴データとの差分情報を表示部に表示することを特徴とする生体測定装置。
【請求項３】
請求項１または２に記載の生体測定装置において
前記生体情報は、体重、体脂肪、血圧、脈拍数、及び視力のうち、少なくともいずれかであることを特徴とする生体測定装置。
【請求項４】
請求項１〜３のいずれか一項に記載の生体測定装置において、
前記評価結果に対応するメッセージを表示することを特徴とする生体測定装置。
【請求項５】
請求項１〜４のいずれか一項に記載の生体測定装置において、
前記処理部は、前記情報通信端末に前記測定履歴データの送信要求を行うことを特徴とする生体測定装置。
【請求項６】
請求項１〜５のいずれか一項に記載の生体測定装置において、
前記通信部は、前記情報通信端末と無線通信によって通信を行うことを特徴とする生体測定装置。
【請求項７】
請求項１〜６のいずれか一項に記載の生体測定装置において、
前記処理部は、前記生体情報を測定していないとき、あるいは前記通信部と前記情報通信端末との同期が確立していない場合に前記生体情報の測定時よりも低電力で動作する省電力モードへ移行させることを特徴とする生体測定装置。
【請求項８】
請求項７に記載の生体測定装置において、
前記処理部は、前記通信部が所定の信号を受信すると、前記省電力モードを解除することを特徴とする生体測定装置。
【発明の詳細な説明】
【技術分野】
【０００１】
本発明は、生体測定装置及び生体測定システムに関する。
【背景技術】
【０００２】
健康維持のためには、定期的に体重や血圧等の生体測定を行うことが有効であり、宿泊施設や公衆浴場や公共施設等の各種施設には、不特定多数の人が利用する、血圧計、体重計等の生体測定装置が置かれている。
【先行技術文献】
【特許文献】
【０００３】
【特許文献１】特開２０１０−０１４７３７号公報
【発明の概要】
【発明が解決しようとする課題】
【０００４】
この様な不特定多数の人が利用する生体測定装置において、測定データの即値が表示されるのを好まない人も多いが、かかるプライバシーに対する配慮がなされていないのが現状であった。
【０００５】
またこの様に不特定多数の人が利用する生体測定装置の場合、生体測定装置にはユーザーの過去の測定履歴データは記録されていないので、測定データの即値を表示するしかなく、ユーザーの過去の測定データを踏まえた表示や設定等を行うことは困難であった。
【０００６】
本発明はこのような問題点に鑑みてなされたものである。本発明のいくつかの態様によれば、不特定多数が利用する生体測定装置においても過去の測定データに対する相対値や評価等を提供すること、又はプライバシー情報を保ったまま生体測定可能な生体測定装置を提供すること、又はユーザーの過去の測定データを踏まえた表示や設定等を行うことができる。
【課題を解決するための手段】
【０００７】
（１）本発明の一態様は、無線通信機能を有する携帯情報通信端末と無線通信を行う無線通信部と、所与の生体情報の測定を行う生体測定部と、測定結果を出力する測定結果出力部と、前記携帯情報通信端末に、測定履歴データの送信要求を行う測定履歴データ要求部と、前記測定履歴データの送信要求に対応して受信した測定履歴データと、生体測定部が測定した測定データに基づき、測定データの評価処理を行い、評価結果を前記測定結果出力部に出力させる測定結果出力制御部とを、含む生体測定装置に関する。
【０００８】
本発明によれば、携帯情報通信端末からユーザーの測定履歴データを受信して、測定履歴データと、生体測定部が測定した測定データに基づき、測定データの評価を行い、評価結果を前記測定結果出力部に出力する。従って、不特定多数が利用する生体測定装置においても過去の測定データに対する相対値や評価等を提供することができるので、プライバシー情報を保ったまま、生体測定可能な生体測定装置を提供することができる。
【０００９】
（２）この生体測定装置において、前記測定結果出力制御部は、前記測定データの即値に替えて評価結果を出力させる制御を行ってもよい。測定結果表示制御部は、測定データの即値表示を行わないので、ユーザーは周囲を気にせず、生体測定を行うことができるプライバシーに配慮した生体測定装置を提供することができる。
【００１０】
（３）この生体測定装置において、前記測定結果出力制御部は、前記測定データの評価処理として、前記測定履歴データと測定データの差分を求め、評価結果として前記測定履歴データと測定データの差分を出力させる制御を行ってもよい。
【００１１】
このようにすると、測定者本人のみが理解できる形式で測定結果を表示することができる。
【００１２】
（４）この生体測定装置において、前記測定結果出力制御部は、前記測定データの評価処理として、前記測定履歴データと測定データの差分に基づきメッセージを作成し、評価結果として前記メッセージを出力させる制御を行ってもよい。
【００１３】
（５）この生体測定装置において、測定時以外は、測定時よりも低電力で動作するモードである省電力モードに移行させる制御を行う省電力制御部をさらに含み、前記無線通信部は、前記携帯情報通信端末と無線通信の同期が確立していない状態において、所定の無線信号を受信可能なスレーブ状態に制御するスレーブ処理部を含み、前記省電力制御部は、前記無線通信部が所定の無線信号を受信すると、省電力モードを解除してもよい。
【００１４】
（６）この生体測定装置において、測定データを記憶部に保存する測定データ保存処理部と、受信した測定履歴データと、記憶部に保存されている測定データに基づき、個人認証を行い個人認証処理部と、を含んでもよい。
【００１５】
（７）この生体測定装置において、個人認証結果に基づき、生体測定部の設定制御を行う設定制御部を含んでもよい。
【００１６】
この様にすると、ユーザーがこれまで生体測定装置に対して行っていたユーザー切り替え操作や設定操作等を行う必要がないので、利便性の高い生体測定装置を提供することができる。
【００１７】
（８）この生体測定装置において、受信した測定履歴データに基づき、生体測定部の設定制御を行ってもよい。
【００１８】
なお生体測定装置の記憶部に測定データが記憶されている場合には、受信した測定履歴データと、記憶部に保存されている測定データに基づき、生体測定部の設定制御を行ってもよい。
【００１９】
（９）本発明の一態様は、上記のいずれかに記載の生体測定装置と、携帯情報通信端末を含む生体測定システムであって、前記情報通信端末は、前記生体測定装置と無線通信を行う無線通信部と、所与の生体情報測定機器から受信した測定履歴データを記憶部に記憶させる測定履歴データ保存処理部と、前記生体測定装置から測定履歴データの送信要求を受けると記憶部に記憶されている測定履歴データを前記生体測定装置に送信する測定履歴データ送信制御部とを、含む生体測定システムに関する。
【図面の簡単な説明】
【００２０】
【図１】本実施形態に係る生体測定システムの具体例を示す図。
【図２】本実施形態の生体測定装置の機能ブロック図の一例を示す図。
【図３】本実施の形態の測定履歴データの一例を示す図。
【図４】図４（Ａ）（Ｂ）は、本実施の形態の測定結果出力制御について説明するための図。
【図５】本実施の形態の個人認証の一例について説明するための図。
【図６】実施の形態の携帯情報通信端末の機能ブロック図の一例を示す図。
【図７】差分値とメッセージの対応テーブルの一例。
【図８】生体測定装置の制御処理の流れを示すフローチャート。
【図９】生体測定装置の制御処理（個人認証処理を行う場合）の流れを示すフローチャート。
【発明を実施するための形態】
【００２１】
以下、図面に基づき、本発明の実施形態を説明する。
【００２２】
図１は、本実施形態に係る生体測定システムの具体例を示す図である。
【００２３】
本実施の形態の生体測定システム１は生体測定装置１００と、携帯情報通信端末１０を含んで構成してもよい。生体測定装置１００が不特定多数の人が利用可能な体重計である場合を例にとり説明する。携帯情報通信端末１０は、生体測定装置１００と無線通信可能な携帯電話で実現可能であり、ユーザーＹの過去の体重の測定データが測定履歴データとして記憶されている。携帯情報通信端末１０には、体重計やパーソナルコンピューターから通信等により過去の測定データを取得してもよい。
【００２４】
携帯情報通信端末１０を携帯したユーザーＹが、生体測定装置１００と携帯情報通信端末１０が通信可能な範囲に入ると、携帯情報通信端末１０と体測定装置１００の無線通信の同期が確立する。同期が確立すると、生体測定装置１００の省電力モードが解除されるようにしてもよい。また同期が確立すると、生体測定装置１００が、携帯情報通信端末１０に測定履歴データの送信要求を行い、これに応じて携帯情報通信端末１０が、記憶されている測定履歴データを生体測定装置１００に送信し、生体測定機器１００がこれを受信すると、本実施の形態の評価出力方式での測定が可能になる。
【００２５】
図２に、生体測定装置の機能ブロック図の一例を示す。なお本実施形態の生体測定装置１００は図２の構成要素（各部）の一部を省略した構成としてもよい。
【００２６】
本実施の形態の生体測定装置１００は、無線通信部１６０、処理部１１０、生体測定部１２０、測定結果出力部１３０、記憶部１５０と、アンテナ１７０等を含む。
【００２７】
無線通信部１６０は、外部機器との間で無線通信を行うための各種制御を行うものであり、その機能は、各種プロセッサーや通信用ＡＳＩＣなどにより実現することができる。無線通信部１６０は、例えば、ブルートゥース、無線ＬＡＮ或いはＡＮＴなどの方式の近距離無線通信を実現する。無線通信部１６０は、例えば処理部（ＣＰＵ）１１０からのコマンドにしたがって外部と無線通信をおこなう機能モジュールであり、信号の送信を司るベースバンドブロックや所定のＲＦ周波数信号をアンテナ１７０を介して送信するＲＦブロック等を備えるようにしてもよい。また例えばＦＰＧＡ（Field Programmable Gate Array）のようなＩＣ完成後にユーザーが内部論理をプログラムにより変更できる汎用のロジック・デバイスで構成することもできる。無線通信部１１０は、マルチキャスト及びブロードキャスト通信処理等を行うことができるようにしてもよい。
【００２８】
無線通信部１６０は、携帯情報通信端末と無線通信の同期が確立していない状態において、所定の無線信号を受信可能なスレーブ状態に制御するスレーブ処理部１６２を含む。
【００２９】
アンテナ１７０は半波長のダイポールアンテナ等を使用するようにしてもよい。
記憶部１５０（メモリー）は、処理部１１０のワーク領域となり、また、処理部１１０の各部として情報通信端末１０を機能させるためのプログラムやデータなどを格納するものであり、その機能はＲＡＭやＲＯＭなどにより実現することができる。
【００３０】
また記憶部１５０（メモリー）は、生体測定部１２０で測定した測定データを保存するための測定データ記憶部１５２やユーザーの属性情報（性別や身長や生年月日等）やユーザーの設定情報（ユーザー毎に選択している測定オプション等）等を保存するユーザー情報記憶部１５４をふくんでもよい。なお、測定データ記憶部１５２やユーザー情報記憶部１５４は、書き換え可能なＥＥＰＲＯＭ（Electrically Erasable Programmable Read-Only Memory）等の不揮発性メモリーで構成してもよい。
【００３１】
生体測定部１２０は、測定者の体重や血圧や脈拍等の所与の生体情報の測定を行うもので、測定用のセンサー１２２を含む。測定結果出力部１３０は測定結果を出力するものであり、例えば測定結果を表示する表示部でもよいし、測定結果を音声で出力する音声出力部でもよいし、測定結果をその他の形式で出力する出力部でもよい。
【００３２】
処理部１１０は、所与の情報処理を行うもので、その機能は、各種プロセッサー（ＣＰＵ等）、或いはＡＳＩＣ（ゲートアレイ等）などのハードウェアや、所与のプログラム（マイクロプログラム等）より実現できる。
【００３３】
処理部１１０は、測定履歴データ要求部１１１、測定結果出力制御１１２、測定データ送信制御部１１３、省電力制御部１１４、個人認証処理部１１５、設定制御部１１６、測定データ保存処理部１１７を含む。
【００３４】
測定履歴データ要求部１１１は、携帯情報通信端末に測定履歴データの送信要求を行い、測定結果出力制御部１１２は、測定履歴データの送信要求に対応して受信した測定履歴データと、生体測定部が測定した測定データに基づき、測定データの評価処理を行い、評価結果を前記測定結果出力部に出力させる。
【００３５】
測定データ送信制御部１１３は、測定後に測定データを外部の情報通信機器に送信するための測定データ送信制御を行ってもよい。測定データ送信後は、測定データ及び受信した測定履歴データを削除してもよい。
【００３６】
測定結果出力制御部１１２は、測定データの即値に替えて評価結果を出力させる制御を行ってもよい。
【００３７】
また測定結果出力制御部１１２は、測定データの評価処理として、前記測定履歴データと測定データの差分を求め、評価結果として前記測定履歴データと測定データの差分を出力させる制御を行ってもよい。
【００３８】
また測定結果出力制御部１１２は、測定データの評価処理として、測定履歴データと測定データの差分に基づきメッセージを作成し、評価結果として前記メッセージを出力させる制御を行ってもよい。
【００３９】
省電力制御部１１４は、測定時以外は、測定時よりも低電力で動作するモードである省電力モードに移行させる制御を行い、無線通信部１６０が所定の無線信号を受信すると、省電力モードを解除するようにしてもよい。
【００４０】
測定データ保存処理部１１７は、測定データを記憶部に保存する処理を行う。
【００４１】
個人認証処理部１１５は、受信した測定履歴データと、記憶部に保存されている測定データに基づき個人認証を行う。
【００４２】
設定制御部１１６は、生体測定部の設定制御を行う。生体測定部の設定制御とは、例え
ば生体測定部の各種パラメーター（例えば体重とともに体脂肪や肥満度等を測定する場合のパラメーターや、詳細測定範囲の設定等）や測定データ記録先等の設定制御でもよい。また例えば認証結果に応じて測定の可否（電源のオン・ＯＦＦ）を制御するようにしてもよい。個人認証結果、対応する個人の記録データファイルを自動選択して、測定データを記録してもよい。また個人認証結果に基づき、個人に対応して登録されている測定オプションを選択実施してもよい。
【００４３】
設定制御部１１６は、受信した測定履歴データに基づき、生体測定部の設定制御を行う。
【００４４】
なお生体測定装置の記憶部に測定データが記憶されている場合には、受信した測定履歴データと、記憶部１５０に保存されている測定データに基づき、生体測定部の設定制御を行ってもよい。例えば受診した測定履歴データに基づき、測定対象となるユーザーの測定データの予想範囲を判定し、予想範囲について詳細なデータを測定するような測定範囲の設定を行ってもよい。
【００４５】
図６に、本実施の形態の携帯情報通信端末の機能ブロック図の一例を示す。なお本実施形態の情報通信端末１０は、図２の構成要素（各部）の一部を省略した構成としてもよい。
【００４６】
本実施の形態の携帯情報通信端末１０は、生体測定装置１００と無線通信を行うのもで、処理部２０、記憶部３０、無線通信部４０、アンテナ５０等を含む。
【００４７】
処理部２０は、本携帯情報通信端末の各種の情報処理を行うもので、その機能は、各種プロセッサー（ＣＰＵ等）、或いはＡＳＩＣ（ゲートアレイ等）などのハードウェアや、所与のプログラム（マイクロプログラム等）より実現できる。
【００４８】
無線通信部４０は、外部機器（図１の生体測定装置１０を含む）との間で無線通信を行うための各種制御を行うものであり、その機能は、各種プロセッサーや通信用ＡＳＩＣなどにより実現することができる。無線通信部４０は、例えば、ブルートゥース、無線ＬＡＮ或いはＡＮＴなどの方式で近距離無線通信を実現する。無線通信部４０は、例えば処理部（ＣＰＵ）１２０からのコマンドにしたがって外部と無線通信をおこなう機能モジュールであり、信号の送信を司るベースバンドブロックや所定のＲＦ周波数信号をアンテナ５０を介して送信するＲＦブロック等を備えるようにしてもよい。また例えばＦＰＧＡ（Field Programmable Gate Array）のようなＩＣ完成後にユーザーが内部論理をプログラムにより変更できる汎用のロジック・デバイスで構成することもできる。無線通信部４０は、マルチキャスト及びブロードキャスト通信処理等を行うことができるようにしてもよい。
【００４９】
無線通信部４０は、外部機器との無線通信の同期を確立するための同期信号を送信して、外部機器との無線通信の同期を確立する無線通信同期確立部４２を含んでもよい。
【００５０】
アンテナ５０は半波長のダイポールアンテナ等を使用するようにしてもよい。
記憶部３０（メモリー）は、処理部１００のワーク領域となり、また、処理部１１０の各部として情報通信端末１０を機能させるためのプログラムやデータなどを格納するものであり、その機能はＲＡＭやＲＯＭなどにより実現することができる。
【００５１】
また記憶部１５０（メモリー）は、ユーザーＹの過去の体重の測定データが記憶された測定履歴データ記憶部３２を含む。なお、測定履歴データ記憶部３２は、書き換え可能なＥＥＰＲＯＭ（Electrically Erasable Programmable Read-Only Memory）等の不揮発性
メモリーで構成してもよい。
【００５２】
処理部２０は、測定履歴データ保存処理部２２と、測定履歴データ送信制御部２４を含む。測定履歴データ保存処理部２２は、所与の生体情報測定機器から受信した測定履歴データを記憶部に記憶させる処理を行う。測定履歴データ送信制御部２４は、生体測定装置１００から測定履歴データの送信要求を受けると記憶部に記憶されている測定履歴データを前記生体測定装置に送信する制御を行う。
【００５３】
図３は、本実施の形態の測定履歴データの一例を示す図である。
【００５４】
測定履歴データ２００は、過去の測定データ２３０（測定データ（例えば体重の測定データ）２３４と測定日時２３２）と、当該測定データに対応するユーザーのユーザー識別情報２１０を含んでもよい。
【００５５】
図４（Ａ）（Ｂ）は、本実施の形態の測定結果出力制御について説明するための図である。図３に示すような測定履歴データ２００を受信した場合を例にとり説明する。
【００５６】
図４（Ａ）は、ユーザーの測定値の即値２５０が６３ｋｇ（２５０−１）である場合の測定結果出力例を示している。このような場合、測定履歴データ（図３参照）のなかの最新測定データ（測定履歴データ２３０の一例）である「６２ｋｇ」２３６（図３参照）と、生体測定部が今回測定した測定データの即値２５０である「６３ｋｇ」２５０−１に基づき、測定データの評価処理を行い評価結果を前記測定結果出力部に出力してもよい。
【００５７】
評価処理として、例えばユーザーの測定値の即値２５０と測定履歴データに基づき所定の評価演算を行って演算結果を評価結果としてもよいし、演算結果に基づき所定のメッセージや評価値（レベル等）を選択してこれらを評価結果としてもよい。また測定履歴データとして用いるものは、受信した測定履歴データのうち最新測定データ（前回の測定データ）でもよいし、測定データの平均値や最多値でもよい。
【００５８】
例えば測定データの評価処理として、測定履歴データ（図３参照）のなかの最新測定データである「６２ｋｇ」２３２と測定データの即値である「６３ｋｇ」２５０−１の差分である「＋１」２６０−１を求め、評価結果として出力させる制御を行ってもよい。
【００５９】
また例えば測定データの評価処理として、測定履歴データ（図３参照）のなかの最新測定データである「６２ｋｇ」２３２と測定データの即値である「６３ｋｇ」２５０−１の差分である「＋１」２６０−１を求め、これに対応するメッセージである「ちょっと増えています！」２７０−１を選択して出力させる制御を行ってもよい。
【００６０】
出力するメッセージは、差分値に対応して予め設定しておいてもよい。
【００６１】
図４（Ｂ）は、ユーザーの測定値の即値２５０が６１ｋｇ（２５０−２）である場合の測定結果出力例を示している。このような場合、例えば測定データの評価処理として、測定履歴データ（図３参照）のなかの最新測定データである「６２ｋｇ」２３２と測定データの即値である「６１ｋｇ」２５０−２の差分である「−１」２６０−２を求め、評価結果として出力させる制御を行ってもよい。
【００６２】
また例えば測定データの評価処理として、測定履歴データ（図３参照）のなかの最新測定データである「６２ｋｇ」２３２と測定データの即値である「６１ｋｇ」２５０−２の差分である「−１」２６０−２を求め、これに対応するメッセージである「ちょっと増えています！」２７０−２を選択して出力させる制御を行ってもよい。
【００６３】
出力するメッセージは、差分値に対応して予め設定しておいてもよい。
【００６４】
図７は、差分値とメッセージの対応テーブルの一例である。
【００６５】
図７に示す対応テーブル３００は、第１のメッセージ出力パターン（健康管理のため体重維持を目的とする場合）の差分値とメッセージの対応の一例を示している。同図に示すように、測定データと測定履歴データのなかの最新測定データとの差分３１０と、メッセージ３２０の対応データを予めテーブルデータとして用意しておいてもよい。そして、測定データに応じて測定データと測定履歴データのなかの最新測定データとの差分を求め、対応テーブルを参照して、求めた差分３１０に対応するメッセージを選択して出力してもよい。図４（Ａ）の場合には、差分が「＋１」で２以上３未満であるので、対応するメッセージ３２２を出力してもよい。また図４（Ｂ）の場合には、差分が「−１」で−２以上−３未満であるので、対応するメッセージ３２４を出力してもよい。
なおダイエットのため体重減少を目的とする場合や、その他の目的の場合には異なる対応テーブルを用意してもよい。例えばメッセージの内容を変更してもよいし、テーブルの差分の数値の幅等を変更してもよい。
【００６６】
なお目的に応じた複数の対応テーブルを用意しておいて、ユーザーが適宜設定できるようにしてもよい。例えばユーザー情報として、使用するメッセージパターン選択情報（テーブル選択情報）を持たせておいてもよい。
【００６７】
なお測定データの即値２５０−１、２５０−２にかえて差分値２６０−１、２６０−２やメッセージ２７０−１、２７０−２を出力してもよいし、測定データの即値２５０−１、２５０−２とともに差分値２６０−１、２６０−２やメッセージ２７０−１、２７０−２を出力してもよい。
【００６８】
また受信した測定履歴データに基づき生体測定装置の設定を行ってもよい。
【００６９】
受信した測定履歴データと、記憶部に保存されている測定データに基づき、生体測定部の設定制御（パラメーター及び測定データ記録先）を行ってもよい。
【００７０】
なお生体測定装置の記憶部に測定データが記憶されている場合には、受信した測定履歴データと、記憶部に保存されている測定データに基づき、生体測定部の設定制御を行ってもよい。
【００７１】
例えば受診した測定履歴データに基づき、測定対象となるユーザーの測定データの予想範囲を判定し、予想範囲について詳細なデータを測定するような測定範囲の設定を行ってもよい。
【００７２】
従来は不特定多数が利用する、血圧計、体重計等の生体測定装置を使用して生体測定を行う場合にも測定データの即値が表示され、プライバシーに対する配慮がなされていなかった。そして、不特定多数が利用する生体測定装置の場合、通常はユーザーの過去の測定履歴データは記録されていないので、測定データの即値を表示するしかなかなく、過去の測定データに対する相対値や評価等は提供することができなかった。
【００７３】
しかし本実施の形態によれば、不特定多数が利用する生体測定装置においても過去の測定データに対する相対値や評価等を提供することができるので、プライバシー情報を保ったまま、生体測定可能な生体測定装置を提供することができる。
【００７４】
図５は、本実施の形態の個人認証の一例について説明するための図である。
【００７５】
生体測定装置１００で、測定データを記憶部（測定データ記憶部）に保存し、保存されている測定データに基づき個人認証をおこなってもよい。複数のユーザーの測定データを保存する場合には、ユーザー毎にする。そして、携帯情報端末から受信した測定履歴データと、記憶部に保存されている測定データに基づき、個人認証を行うようにしてもよい。
【００７６】
４００−１、４００−２、４００−３は、複数のユーザーの測定データ４１０−１、４１０−２、４１０−３やユーザー情報４１０−１、４１０−２、４１０−３がファイルにＤ１、Ｄ２、Ｄ３に格納されている例を示している。測定データ４２０は、測定日時４２２と測定データ４２４を含んでもよい。またユーザー情報は、ユーザー名（ニックネームでもよい）４３２、性別４３４、生年月日４３６、身長１６０等を含んでもよい。
【００７７】
このような場合において、図３に示すような測定履歴データを受け取ると、各ファイルに保存されている測定データ４２０−１、４２０−２、４２０−３と受信した測定履歴データを比較して、受信した測定履歴データと同じユーザーの測定データがあるか否か判定してもよい。例えば受信した測定履歴データのなかの最新測定データと、保存されている各ユーザーの最新測定データを比較して差分が所定範囲内にある場合に同じユーザーの測定データであると判定してもよい。また例えば受信した測定履歴データのなかの所定期間内（例えば過去ｎ月以内のデータ）の平均値と、保存されている各ユーザーの測定データのなかの所定期間内（例えば過去ｎ月以内のデータ）の平均値とを比較して差分が所定範囲内にある場合に同じユーザーの測定データであると判定してもよい。
【００７８】
図５の場合には、ファイルＤ１の測定データの最新の測定データの値「６２．２ｋｇ」と受信した測定履歴データのなかの最新の測定データの値「６２ｋｇ」の差分が所定範囲内（例えば２ｋｇ以内）なので、ファイルＤ１のユーザーと同じであると判断してもよい。
【００７９】
測定データを生体測定装置のファイルに格納する際には、個人認証結果に基づき、測定結果を格納するファイルを判定して自動的に対応するファイルに格納するようにしてもよい。
【００８０】
また測定履歴データと同じユーザーのユーザー情報に基づき、生体測定部の設定制御（パラメーター及び測定データ記録先）を行ってもよい。例えば、測定データとともに、体脂肪率や肥満度等を判定する場合には、性別や年齢や身長によって判定がことなるので、ユーザー情報の性別や年齢や身長を参照して、体脂肪率や肥満度等を判定してもよい。
【００８１】
この様にすると、ユーザーがこれまで生体測定装置に対して行っていたユーザー切り替え操作等や設定操作を行う必要がないので、利便性の高い生体測定装置を提供することができる。
【００８２】
図８は、生体測定装置の制御処理の流れを示すフローチャートである。
【００８３】
携帯情報通信端末は、所定の間隔で間欠的に同期信号を送信している。
【００８４】
生体測定装置が省電力モードでスレーブ状態にある場合に（ステップＳ１０）、携帯情報通信端末から同期信号を受信して、携帯情報通信端末と同期が確立した場合には（ステップＳ２０）、省電力モードを解除する（ステップＳ３０）。
【００８５】
次に携帯情報通信端末に測定履歴データの送信要求を送信する（ステップＳ４０）。携
帯情報通信端末から測定履歴データを受信し（ステップＳ５０）、測定イベントが発生すると（ステップＳ６０）、送信データの要求に対して受信した測定履歴データと、生体測定部が測定した測定データに基づき、測定者に告知する測定結果の評価データの作成を行い、測定結果出力部に評価データを出力する（ステップＳ７０）。そして、今回の測定データを携帯情報端末に送信して、今回の測定データ及び受信した測定履歴データを消去する（ステップＳ８０）。
【００８６】
図９は、生体測定装置の制御処理（個人認証処理を行う場合）の流れを示すフローチャートである。
【００８７】
携帯情報通信端末は、所定の間隔で間欠的に同期信号を送信している。
【００８８】
生体測定装置が省電力モードでスレーブ状態にある場合に（ステップＳ１１０）、携帯情報通信端末から同期信号を受信して、携帯情報通信端末と同期が確立した場合には（ステップＳ１２０）、省電力モードを解除する（ステップＳ１３０）。
【００８９】
次に携帯情報通信端末に測定履歴データの送信要求を送信する（ステップＳ１４０）。
【００９０】
測定履歴データを受信し（ステップＳ１５０）、受信した測定履歴データと、記憶部に保存されている測定データに基づき、個人認証を行う。（ステップＳ１６０）。そして、個人認証結果に基づき、生体測定部の制御情報（パラメーター及び測定データ記録先）等の設定を行う（ステップＳ１７０）。
【００９１】
測定イベント発生すると（ステップＳ１８０）、送信データの要求に対して受信した測定履歴データと、生体測定部が測定した測定データに基づき、測定者に告知する測定結果の評価データの作成を行い、測定結果出力部に評価データを出力する（ステップＳ１９０）。そして、今回の測定データを携帯情報端末に送信するとともに、記憶部の対応するユーザーファイルに保存する（ステップＳ２００）。
【００９２】
本発明の技術範囲は上記実施形態に限定されるものではなく、本発明の趣旨を逸脱しない範囲で適宜変更を加えることができる。
【００９３】
例えば上記実施の形態においては、生体測定装置が体重計である場合を例に説明したが、これに限られない。例えば生体測定装置が、血圧計や、脈拍計や、視力測定機等である場合でもよい。
【符号の説明】
【００９４】
１  生体測定システム、１０  携帯情報通信端末、２０  処理部（ＣＰＵ）、２２  測定履歴データ保存処理部、２４  測定履歴データ送信制御部、１００  携帯情報通信端末、１１０  処理部、１１１  測定履歴データ要求部、１１２  測定結果出力制御、１１３  測定データ送信制御部、１１４  省電力制御部、１１５  個人認証処理部、１１６  設定制御部、１１７  測定データ保存処理部、１２０  生体測定部、１２２  センサー、１３０  測定結果出力部、１５０  記憶部、１５２  測定データ記憶部、１５４  ユーザー情報記憶部、１６０  無線通信部、１６２  スレーブ処理部、１７０  アンテナ
【図１】
0005995018.tif 000002
【図２】
0005995018.tif 000003
【図３】
0005995018.tif 000004
【図４】
0005995018.tif 000005
【図５】
0005995018.tif 000006
【図６】
0005995018.tif 000007
【図７】
0005995018.tif 000008
【図８】
0005995018.tif 000009
【図９】
0005995018.tif 000010